(57)【要約】【課題】保護位置においてムービングプレートをより強固に保持できるコネクタ組立体を提供する。【解決手段】コネクタ組立体１０は、嵌合部２２内に雄端子金具５６の先端部が位置される雄コネクタ２０と、嵌合部に嵌合される雌コネクタ６０と、嵌合部内において、保護位置から完全嵌合の位置まで雌コネクタ６０の嵌合の動作に伴って移動するムービングプレート８０とを備える。雄コネクタ２０が第１可動係止アーム４１を有し、ムービングプレート８０が第１可動係止アーム４１と係合される第３可動係止アーム８５を有する。そして、雌コネクタ６０は、第１可動係止アーム４１と第３可動係止アーム８５との係合状態を解除する向きに第１可動係止アーム４１を直接押圧する係止突起７７を有している。以上のコネクタ組立体１０は、保護位置において、第１可動係止アーム４１と第３可動係止アーム８５が係合される。【選択図】図１
2011086478.tif 000002
【特許請求の範囲】
【請求項１】
嵌合部内に少なくとも端子金具の先端部が配置される第１コネクタハウジングと、
前記嵌合部に嵌合される第２コネクタハウジングと、
前記嵌合部内において、第１の位置から第２の位置まで前記第２コネクタハウジングの前記嵌合の動作に伴って移動するムービングプレートと、
を備え、
前記第１コネクタハウジングは、係止アームを有し、
前記ムービングプレートは、前記第１コネクタハウジングの前記係止アームと係合される係止部を有し、
前記第２コネクタハウジングは、前記係止アームと前記係止部との係合状態を解除する向きに前記係止アームを直接押圧する押圧部を有し、
前記第１の位置において、前記第１コネクタハウジングの前記係止アームと前記ムービングプレートの前記係止部とが係合され、
前記第２コネクタハウジングが前記第１の位置から前記第２の位置に移動する過程で、前記押圧部が前記係止アームを押圧する、
ことを特徴とする電気コネクタ組立体。
【請求項２】
前記押圧部は、
前記係止部を押圧して通過した後に、前記係止アームを押圧する請求項１に記載の電気コネクタ組立体。
【請求項３】
前記係止部は、
対向して配置される一対の支持梁と、
一対の前記支持梁を繋ぐ係止体と、を備える請求項１又は２に記載の電気コネクタ組立体。
【請求項４】
前記係止アームと前記係止部との係合は、
前記の嵌合の向きに対して直交する係合面により行われるか、
前記係止アーム及び前記係止部のいずれか一方の係合面が他方に対して傾斜して行われる請求項１〜３のいずれか一項に記載の電気コネクタ組立体。
【請求項５】
前記ムービングプレートは、
前記端子金具が前記第１コネクタハウジングから抜け止めするリテーナが一体的に形成される請求項１〜４のいずれか一項に記載の電気コネクタ組立体。
【請求項６】
前記第２コネクタハウジングを前記第１コネクタハウジングから取り外す際に、
前記ムービングプレートが前記第1コネクタハウジングに留め置かれ、
前記第２コネクタハウジングは前記第1コネクタハウジングから取り外される請求項１〜５のいずれか一項に記載の電気コネクタ組立体。
【発明の詳細な説明】
【技術分野】
【０００１】
本発明は、ムービングプレートを備えた電気コネクタ組立体（以下、コネクタ組立体）に関する。
【背景技術】
【０００２】
雄コネクタのハウジング内において雄端子金具を位置決めするためのムービングプレートを備えたコネクタ組立体が知られている。このコネクタ組立体は、雌コネクタが雄コネクタと未嵌合の状態において、ムービングプレートを雄端子金具の先端部と嵌合する保護位置に保持する構造がとられている。そして、雌コネクタを雄ハウジング内に押し込むと、ムービングプレートが雌コネクタにより奥の方へ押し込まれるとともに、雄端子金具の先端部が雌コネクタ内に差し込まれる。
【０００３】
ムービングプレートを保護位置に保持し、かつ雌コネクタにより奥の方へ押し込まれる動作を適切に行うコネクタ組立体が特許文献１に開示されている。
このコネクタ組立体は、図１１に示されるように、雄雌両コネクタ１００，１０１を嵌合する前には、ムービングプレート１０２はアーム部１０３の係止突起１０４と係止孔１０５との係合により保護位置に保持される。この状態で両コネクタ１００，１０１を嵌合すると、雌コネクタ１０１の解除片１０６がアーム部１０３を撓ませて嵌合部１０７の係止孔１０５から係止突起１０４を抜去させ、これにより、ムービングプレート１０２の保護位置における保持が解除される。
【先行技術文献】
【特許文献】
【０００４】
【特許文献１】特開２０００−１９５６１０号公報
【発明の概要】
【発明が解決しようとする課題】
【０００５】
特許文献１のコネクタ組立体によれば、係止突起１０４や係止孔１０５には、未嵌合時に無理な押し付け力が作用しないので、係止突起１０４や係止孔１０５の変形が防止される。
しかるに、特許文献１のコネクタ組立体は、係止突起１０４と係止孔１０５は、凸と凹の微小高さ部分で係合されているに過ぎない。しかも、係止孔１０５から係止突起１０４が解除片１０６の操作により容易に抜去できるように、係合面１０８がテーパ面となっている。そのため、解除片１０６で操作しなくても、比較的強い力でムービングプレート１０２が押し込まれる（図中左側に向けて）と、係合状態が解除される向きにアーム部１０３が容易に撓んでしまう構造となっている。したがって、コネクタ組立体の製造過程において、雌コネクタ１０１以外の部材、たとえば電線が嵌合部１０７内に不意に進入してムービングプレート１０２を押すと、ムービングプレート１０２は容易に移動してしまい、ムービングプレート１０２はその機能を果たさなくなる。
また、特許文献１のコネクタ組立体は、ムービングプレート１０２を雌コネクタ１０１で雄コネクタ１００の奥まで押し込んでしまうと、コネクタ組立体の保守、点検のために、雌コネクタ１０１を雄コネクタ１００から取り外す場合、ムービングプレート１０２を保護位置まで復帰させるための作業が別途必要となる。
本発明は、このような技術的課題に基づいてなされたもので、保護位置においてムービングプレートをより強固に保持できるコネクタ組立体を提供することを目的とする。
本発明はこれに加えて、雌コネクタを雄コネクタから取り外すと、ムービングプレートが保護位置まで復帰するコネクタ組立体を提供することを目的とする。
【課題を解決するための手段】
【０００６】
本発明のコネクタ組立体は、基本的な構成要素として、嵌合部内に少なくとも端子金具の先端部が配置される第１コネクタハウジングと、嵌合部に嵌合される第２コネクタハウジングと、嵌合部内において、第１の位置から第２の位置まで第２コネクタハウジングの嵌合の動作に伴って移動するムービングプレートと、を備える。
本発明のコネクタ組立体は、第１コネクタハウジングが係止アームを有し、ムービングプレートが第１コネクタハウジングの係止アームと係合される係止部を有する。そして、第２コネクタハウジングは、係止アームと係止部との係合状態を解除する向きに係止アームを直接押圧する押圧部を有している。
【０００７】
以上の構成を備える本発明のコネクタ組立体は、第１の位置において、第１コネクタハウジングの係止アームとムービングプレートの係止部とが係合される。
【０００８】
本発明のコネクタ組立体は、第１コネクタハウジングに係止アームを設け、この係止アームとムービングプレートの係止部とを係合させる構成とした。したがって、詳しくは後述する実施の形態の欄で説明するが、ムービングプレートが不意に押し込まれたとしても、係止アームが撓んで係止部との係合が解除されにくい構造を実現する。そうすることによって本発明のコネクタ組立体は、保護位置における保持をより強固にできる。
そして、本発明のコネクタ組立体は、第２コネクタハウジングが第１の位置から第２の位置に移動する過程で、押圧部が係止アームを押圧することにより、係止アームと係止部との係合状態を解除できるので、完全な嵌合状態になるまで第１コネクタハウジングに対して第２コネクタハウジングを押し込むことができる。
【０００９】
本発明のコネクタ組立体において、押圧部は、係止部を押圧して係止部を通過した後に、係止アームを押圧する構成とすることが好ましい。
そうすることにより、第２コネクタハウジングを第１コネクタハウジングから取り外す際には、押圧部が係止部に係合されることにより、ムービングプレートを第２の位置から第１の位置まで復帰させる。
【００１０】
本発明のコネクタ組立体において、係止部は、対向して配置される一対の支持梁と、一対のアームを繋ぐ係止体と、を備えることが好ましい。一対のアームを設けることにより、係止部の機械的強度を高くできる。
なお、押圧部は、係止部を通過した後に、係止アームを押圧する構成とする場合、押圧部は一対のアームを繋ぐ係止本体を押圧することになる。
【００１１】
本発明のコネクタ組立体は、係止アームと係止部とを強固に係合できるが、嵌合の向きに対して直交する係合面とするか、あるいは係止アーム及び係止部のいずれか一方の係合面が他方に対して傾斜していることにより、係止アームと係止部との係合を構成することが好ましい。
【００１２】
本発明のコネクタ組立体は、端子金具が第１コネクタハウジングから抜け止めするリテーナを別途設けることもできるが、ムービングプレートにリテーナを一体的に形成することもできる。そうすると、部品点数の削減によるコストを低減できるとともに、ムービングプレートを操作するだけで端子金具の抜け止めができるので、コネクタ組立体の組み付け作業の効率を向上できる。
【００１３】
本発明のコネクタ組立体において、第２コネクタハウジングを第１コネクタハウジングから取り外す際に、ムービングプレートが第1コネクタハウジングに留め置かれ、第２コネクタハウジングのみが第１コネクタハウジングから取り外されることが、保守、点検のためにコネクタ組立体を分解する上で好ましい。
【発明の効果】
【００１４】
本発明によれば、ムービングプレートを強固に保護位置に保持できるコネクタ組立体が提供される。また、本発明によれば、雌コネクタを雄コネクタから取り外すと、ムービングプレートが保護位置まで自動的に復帰できるコネクタ組立体が提供される。
【図面の簡単な説明】
【００１５】
【図１】本実施の形態におけるコネクタ組立体の分解斜視図である。
【図２】コネクタ組立体の端子仮係止状態を示し、（ａ）は正面図、（ｂ）は（ａ）の２ｂ−２ｂ矢視部分断面図である。
【図３】コネクタ組立体の端子仮係止状態を示し、（ａ）は図２（ａ）の３ａ−３ａ矢視断面図、（ｂ）は図２（ａ）の３ｂ−３ｂ矢視断面図、（ｃ）は図３（ａ）の３ｃ−３ｃ矢視部分断面図である。
【図４】コネクタ組立体の端子本係止状態を示し、（ａ）は正面図、（ｂ）は（ａ）の４ｂ−４ｂ矢視部分断面図である。
【図５】コネクタ組立体の端子本係止状態を示し、（ａ）は図４（ａ）の５ａ−５ａ矢視断面図、（ｂ）は図４（ａ）の５ｂ−５ｂ矢視断面図、（ｃ）は図５（ａ）の５ｃ−５ｃ矢視部分断面図である。
【図６】コネクタ組立体の雌コネクタ挿入状態を示し、（ａ）は正面図、（ｂ）は（ａ）の６ｂ−６ｂ矢視部分断面図である。
【図７】コネクタ組立体の雌コネクタ挿入状態を示し、（ａ）は図６（ａ）の７ａ−７ａ矢視断面図、（ｂ）は図６（ａ）の７ｂ−７ｂ矢視断面図、（ｃ）は図７（ａ）の７ｃ−７ｃ矢視部分断面図である。
【図８】コネクタ組立体のコネクタ嵌合完了状態を示し、（ａ）は正面図、（ｂ）は（ａ）の８ｂ−８ｂ矢視部分断面図である。
【図９】コネクタ組立体のコネクタ嵌合完了状態を示し、（ａ）は図８（ａ）の９ａ−９ａ矢視断面図、（ｂ）は図８（ａ）の９ｂ−９ｂ矢視断面図、（ｃ）は図９（ａ）の９ｃ−９ｃ矢視部分断面図である。
【図１０】コネクタ組立体の端子半装着の検知を示す断面図である。
【図１１】特許文献１（図３）に開示されたコネクタ組立体を示す部分断面図である。
【発明を実施するための形態】
【００１６】
以下、添付図面に示す実施の形態に基づいてこの発明を詳細に説明する。
本実施の形態におけるコネクタ組立体１０は、図１に示すように、互いに嵌合可能な雄コネクタ（第１コネクタ）２０と、雌コネクタ（第２コネクタ）６０を備える。雄コネクタ２０と、雌コネクタ６０の嵌合状態において、雄コネクタ２０に保持される雄端子金具５６と、雌コネクタ６０に保持される雌端子金具（図示省略）が電気的に接続される。コネクタ組立体１０は、雄コネクタ２０の雄ハウジング２１内において雄端子金具５６を位置決めするためのムービングプレート８０を備える。雄コネクタ２０、雌コネクタ６０及びムービングプレート８０は、各々、樹脂を射出成形することにより一体的に形成されている。また、雄端子金具５６は、高強度及び高導電性の例えば銅合金を打抜き、曲げ加工することにより形成される。
なお、雄コネクタ２０、雌コネクタ６０において、互いに嵌合される側を前、その反対側を後として以下の説明を行う。
以下、図２、図３をも参照して、コネクタ組立体１０の構成について説明する。
【００１７】
＜雄コネクタ２０＞
雄コネクタ２０は、嵌合部２２と端子収容部４５とを備えた雄ハウジング２１を備える。
嵌合部２２は、上壁２３、下壁２４、左側壁２５及び右側壁２６からなり、その内側に前方が開口する嵌合キャビティ２７が設けられている。嵌合キャビティ２７には、ムービングプレート８０が収容されるとともに、雌コネクタ６０の嵌合部分が収容、嵌合される。
【００１８】
嵌合部２２の上壁２３の嵌合キャビティ２７に臨む側には、前後方向に延びるガイド溝２８〜３１が設けられている。ガイド溝２８〜３１には、雌コネクタ６０のガイド突起７３〜７６が挿入され、雄コネクタ２０と雌コネクタ６０を相互に位置決めする。
嵌合部２２の上壁２３には、表裏を貫通する第１係止孔３２が設けられている。第１係止孔３２には、雌コネクタ６０の係止突起７２が挿入され、雄コネクタ２０と雌コネクタ６０が係合される。
第１係止孔３２を挟んで雄ハウジング２１の幅方向（以下、単に幅方向）の両側には、第２係止孔３３が設けられている。第２係止孔３３は、一部は上壁２３を貫通するが、他の一部はガイド溝２８，３０を区画する中央よりの壁２８ａ，３０ａと干渉する。したがって、第２係止孔３３は、壁２８ａ，３０ａの当該箇所において、溝となって現れる（図２（ｂ））。この溝には、ムービングプレート８０の係止突起８９が挿入される。なお、この溝を便宜上、第２係止溝３３と呼ぶことがある。
【００１９】
嵌合部２２の上壁２３には、また、表裏を貫通する治具挿入孔３５が設けられている。ムービングプレート８０を端子仮係止状態から端子本係止状態へ移行する際、またはその逆の際に、治具挿入孔３５を介してドライバ等の治具でムービングプレート８０を操作する。
治具挿入孔３５を挟んで幅方向の両側には、第２係止孔３３よりも長径な第３係止孔３６が設けられている。第３係止孔３６は、第２係止孔３３と同様に、一部は上壁２３を貫通するが、他の一部は壁２８ａ，３０ａと干渉する。したがって、第３係止孔３６は、壁２８ａ，３０ａの当該箇所において、溝となって現れる（図２（ｂ））。この溝には、ムービングプレート８０の係止突起８９が挿入される。なお、この溝を便宜上、第３係止溝３６と呼ぶことがある。
【００２０】
嵌合部２２の左側壁２５、右側壁２６には、各々、前後方向に延びる薄肉部３８、３９が設けられている。この薄肉部３８、３９の前端には、幅方向の中央に向けて突出する係止突起４０が設けられている。係止突起４０は、ムービングプレート８０の第３可動係止アーム８５と係合され、ムービングプレート８０は雄ハウジング２１から抜け止めされる。
【００２１】
薄肉部３８、３９には、第１可動係止アーム（係止アーム）４１が設けられている。第１可動係止アーム４１は、後端側が固定端、前端側が自由端となる片持ち梁をなし、固定端を中心にして嵌合部２２の幅方向に撓む。第１可動係止アーム４１の前端にある係止面４２が、後述するムービングプレート８０の係止体８７と接触し係合することで、ムービングプレート８０は保護位置に保持される。
【００２２】
端子収容部４５は、上下仕切り壁４８、左右仕切り壁４９で区画される複数の端子収容キャビティ４６を有する。各収容キャビティ４６内には、雄ハウジング２１と一体のハウジングランス５０が設けられている。ハウジングランス５０は、雄端子金具５６と係合されることにより、雄ハウジング２１から雄端子金具５６が抜け止めされる。本実施形態における雄端子金具５６は、一対の端子が一体化された構造を有しているが、本発明がこれに限定されないことは言うまでもない。
【００２３】
端子収容部４５は、その上壁５２に治具挿入孔５４が設けられている。上壁５２の表裏を貫通する治具挿入孔５４は、収容キャビティ４６に対応して複数設けられる。雄端子金具５６を取り外す際に、治具挿入孔５４を介してドライバ等の治具で雄端子金具５６を操作する。
また、端子収容部４５は、その下壁５３にも治具挿入孔５４と同様の治具挿入孔５５が設けられている。ただし、下壁５３の表裏を貫通する治具挿入孔５５には、ムービングプレート８０の下側のリテーナ９０の係止突起９１が係合される。
【００２４】
＜雌コネクタ６０＞
雌コネクタ６０は、上下仕切り壁６３及び左右仕切り壁６４で区画され、前後方向に貫通する複数の端子収容キャビティ６２を有する雌ハウジング６１を備える。端子収容キャビティ６２は、図示しない雌端子金具を収容、保持するものであり、雄コネクタ２０の端子収容キャビティ４６に対応して形成される。端子収容キャビティ６２の前端には、雄コネクタ２０と雌コネクタ６０が嵌合状態において、雄端子金具５６の先端部が貫通する受容孔６５が設けられている（図７（ａ）参照）。
【００２５】
雌コネクタ６０の上壁６６には、第２可動係止アーム７０が設けられている。第２可動係止アーム７０は、雌コネクタ６０の前端側が固定端、後端側が自由端となる片持ち梁をなし、固定端を中心にして、雌コネクタ６０の上下方向に撓む。
第２可動係止アーム７０は、固定端を含む基部７１を有する。基部７１は、前端側に幅の狭い挿入部７１ａが設けられている。
また、第２可動係止アーム７０の中央上面に、係止突起７２が設けられている。係止突起７２が第１係止孔３２内に挿入されると、第２可動係止アーム７０と雄コネクタ２０の雄ハウジング２１が係合される。
【００２６】
雌コネクタ６０の上壁６６には、第２可動係止アーム７０を挟んで前後方向に延びるガイド突起７３〜７６が設けられている。ガイド突起７３〜７６を雄コネクタ２０のガイド溝２８〜３１に挿入させることにより、雄コネクタ２０と雌コネクタ６０を相互に位置決めできる。
【００２７】
雌コネクタ６０の左側壁６８（右側壁６９）の前端側には係止突起（押圧部）７７が設けられている。係止突起７７は、雄コネクタ２０の薄肉部３８，３９、さらにはムービングプレート８０の第３可動係止アーム８５に対応する位置に一直線上に形成されている。係止突起７７は、雄コネクタ２０と雌コネクタ６０を嵌合させる過程で、第１可動係止アーム４１、第３可動係止アーム８５に接触し、これを幅方向の外側に押圧して通過する。
雌コネクタ６０は、図示しない雌端子金具を抜け止めするリテーナ７８を備える。
【００２８】
＜ムービングプレート８０＞
ムービングプレート８０は、雄ハウジング２１内において前方側に位置する端子保持部８１を備える。端子保持部８１は、上下仕切り壁８３及び左右仕切り壁８４で区画される複数の端子保持孔８２を有している。ムービングプレート８０が雄ハウジング２１内の保護位置にあるときに、端子保持孔８２に雄端子金具５６の先端部がガイドされることにより、雄端子金具５６を位置決めする。
【００２９】
端子保持部８１の幅方向両側には、前方に向けて突出する第３可動係止アーム（係止部）８５が設けられている。第３可動係止アーム８５は、雄コネクタ２０の薄肉部３８、３９に、また、雌コネクタ６０の係止突起７７に対応する位置に設けられる。
第３可動係止アーム８５は、後端側が端子保持部８１に固定される支持梁８６を有する。上下方向に所定間隔を空けて設けられる一対の支持梁８６の先端（自由端）側には、これらを繋ぐ係止体８７が設けられている。第３可動係止アーム８５は、端子保持部８１に固定される部分を中心にして、幅方向に撓む。なお、第３可動係止アーム８５は、一本の支持梁８６とすることも可能であるが、強度の観点から一対の支持梁８６とすることが好ましい。また、第３可動係止アーム８５は、幅方向に撓む構成となっているが、係止突起７７により上下方向に押し広げられて撓む構成にすることもできる。
【００３０】
端子保持部８１の上部には、前方に向けて突出する第４可動係止アーム８８が設けられている。一対の第４可動係止アーム８８は、幅方向に間隔を空けて設けられている。この間隔は、雌コネクタ６０の第２可動係止アーム７０の挿入部７１ａが一対の第４可動係止アーム８８の間に嵌挿できるように設定されている。
端子保持部８１に一端が固定される片持ち梁状の第４可動係止アーム８８の先端には、幅方向の外側に向けて突出する係止突起８９が設けられている。この係止突起８９は、雄コネクタ２０の上壁２３に設けられる第２係止孔３３又は第３係止孔３６に挿入される。
【００３１】
ムービングプレート８０は、端子保持部８１から後方に向けて延びる複数のリテーナ９０を備える。リテーナ９０は、端子保持孔８２に対応して、上下２段に位置されている。
リテーナ９０は、ムービングプレート８０が雄ハウジング２１の所定位置に配置されると、雄コネクタ２０のハウジングランス５０と上壁５２（又は下壁５３）の間に挿入されることにより（図５（ａ）参照）、ハウジングランス５０の撓みを規制して、雄端子金具５６を抜け止めする。
【００３２】
次に、以上の構成を有するコネクタ組立体１０について、図２〜図１１を参照しながら、雄端子金具５６の抜去が可能な端子仮係止状態から嵌合完了の状態までの過程を説明する。
［端子仮係止状態…図２，図３参照］
雄コネクタ２０の後端から雄端子金具５６を端子収容キャビティ４６に挿入する。雄端子金具５６は、ハウジングランス５０に係合されるので、雄ハウジング２１から抜け止めされる。ただし、ハウジングランス５０はリテーナ９０により撓みが規制されていないので、係合を解除する向きにハウジングランス５０を撓ませれば、雄端子金具５６を抜き取ることができる。なお、端子仮係止状態においては、ムービングプレート８０の端子保持孔８２に雄端子金具５６は挿入されない。
【００３３】
ムービングプレート８０は、前方から雄コネクタ２０の嵌合キャビティ２７内に挿入される。この端子仮係止状態においてムービングプレート８０は、第４可動係止アーム８８の係止突起８９が、雄ハウジング２１の上壁２３に形成される第２係止溝３３に挿入される。こうして第４可動係止アーム８８と雄ハウジング２１が係合されることにより、ムービングプレート８０は雄ハウジング２１内の所定位置に保持される。
【００３４】
［端子本係止状態…図４，図５参照］
端子仮係止状態から、雄端子金具５６が本係止される位置までムービングプレート８０を雄ハウジング２１の後方に向けて押し込むと、ムービングプレート８０の第４可動係止アーム８８の係止突起８９が、雄ハウジング２１の上壁２３に形成される第２係止溝３３と第３係止溝３６の間の突起３４を乗り越えて、第３係止溝３６に挿入される（図４（ｂ））。また、ムービングプレート８０の第３可動係止アーム８５の係止体８７が、雄コネクタ２０の第１可動係止アーム４１の先端に突き当たっている（図５（ｃ））。このように、ムービングプレート８０は、係止突起８９と突起３４が係合されることにより前方への移動が規制され、係止体８７と第１可動係止アーム４１が係合されることにより後方への移動が規制され、保護位置（第１の位置）に強固に保持される。
【００３５】
この状態で、ムービングプレート８０の後側に位置するリテーナ９０が、ハウジングランス５０と雄ハウジング２１の上壁５２（又は下壁５３）との間に挿入されるので、ハウジングランス５０の上壁５２（又は下壁５３）に向けた撓みが規制される（図５（ａ））。こうして、雄端子金具５６は本係止状態となる。
本係止状態において、雄端子金具５６の先端は、ムービングプレート８０の端子保持孔８２に挿入されている（図５（ａ））。また、ムービングプレート８０は、雄ハウジング２１に強固に保持されているので、嵌合キャビティ２７内に不意に進入する電線等に押されて移動するおそれがない。したがって、雄端子金具５６は、ムービングプレート８０により安定して保持されることで、不必要な曲げが生じることもない。
【００３６】
なお、図１０に示すように、雄コネクタ２０に対して雄端子金具５６の装着状態が不十分だと雄端子金具５６の上面（又は下面）に接触して、ハウジングランス５０が上壁２３（又は下壁２４）に向けて撓んでいるため、ムービングプレート８０を所定の位置（図５（ｂ）の位置）まで押し込むことができない。したがって、コネクタ組立体１０は、ムービングプレート８０の押し込みが不十分だと、雄端子金具５６の装着が不十分であることを検知できる。
【００３７】
［雌コネクタ挿入状態…図６，図７参照］
雄端子金具５６を本係止状態にした後に、雌コネクタ６０を雄コネクタ２０の嵌合キャビティ２７内に挿入し、本係止状態のムービングプレート８０と互いの嵌合面同士が突き当たるまで雌コネクタ６０を押し込む。
この状態では、雌コネクタ６０の第２可動係止アーム７０の基部７１の挿入部７１ａが一対の第４可動係止アーム８８の間に挿入される（図６（ｂ））。一対の第４可動係止アーム８８は、挿入部７１ａが挿入されることにより、互いに接近する向きへの撓みが規制される。
【００３８】
また、雌コネクタ６０がこの位置まで押し込まれる過程で、雌コネクタ６０の係止突起７７が、ムービングプレート８０の第３可動係止アーム８５の係止体８７に直接接触して幅方向外側に押圧すると支持梁８６が撓むので、係止体８７を通過できる（図７（ｃ））。こうして雌コネクタ６０の係止突起７７は、第３可動係止アーム８５の一対の支持梁８６、係止体８７及び端子保持部８１に取り囲まれる空隙に達することになるが、このとき雄コネクタ２０の第１可動係止アーム４１に直接接触して幅方向外側に押圧して、第１可動係止アーム４１を撓ませる。こうして、雄コネクタ２０に対するムービングプレート８０の係合状態が解除されるので、ムービングプレート８０とともに雌コネクタ６０をさらに押し込むことが可能となる。
【００３９】
［雄・雌コネクタ嵌合完了状態…図８,図９］
雌コネクタ６０をさらに押し込んでいくと、雌コネクタ６０とムービングプレート８０は接触したままで、嵌合完了位置（第２の位置）まで移動する。
この状態では、雌コネクタ６０の挿入部７１ａが一対の第４可動係止アーム８８間に挿入された状態で、奥まで移動される（図８（ｂ））。
また、リテーナ９０がハウジングランス５０と雄ハウジング２１の上壁５２（又は下壁５３）との間のより深い位置まで挿入されるので、ハウジングランス５０の上壁５２（又は下壁５３）の向きへの撓みがより強く規制される（図９（ａ））。雄ハウジング２１に保持される雄端子金具５６は、雌ハウジング６１の端子保持キャビティ６２内に進入し、図示しない雌端子金具と接続される（図９（ａ））。
【００４０】
さらに、雌コネクタ６０が上記位置まで押し込まれる過程で、雌コネクタ６０の係止突起７７に続いて、ムービングプレート８０の第３可動係止アーム８５の係止体８７が、雄コネクタ２０の第１可動係止アーム４１を押圧してこれを通過する（図９（ｃ））。第１可動係止アーム４１は、無負荷の状態となる。
【００４１】
以上の手順により、雄コネクタ２０と雌コネクタ６０はムービングプレート８０を介する嵌合が完了する。嵌合完了の状態から、コネクタ組立体１０の保守、点検のために嵌合を解除し、雄コネクタ２０から雌コネクタ６０を取り外すためには、以上と逆の作業を行えばよい。概略を説明すると以下の通りである。なお、雌コネクタ６０に保持される雌端子金具は抜き取られているものとする。
【００４２】
嵌合完了（図８，図９）の状態から、雌コネクタ６０を雄コネクタ２０から引っ張って、取り外しの向きに移動させる。このとき、雌コネクタ６０の係止突起７７がムービングプレート８０の係止体８７を取り外す向きに押す。ムービングプレート８０の第３可動係止アーム８５は、第１可動係止アーム４１の固定端部分により幅方向外側への撓みが規制されているので、雌コネクタ６０とともにムービングプレート８０も移動する。
【００４３】
さらに、雌コネクタ６０を引き抜いていくと、ムービングプレート８０の係止体８７が第１可動係止アーム４１を通過し、続いて雌コネクタ６０の係止突起７７が雄コネクタ２０の第１可動係止アーム４１を幅方向外向きに押して撓ませる（図７（ｃ））。
この位置では、ムービングプレート８０の第３可動係止アーム８５は撓むことができるが、第４可動係止アーム８８は、雌コネクタ６０の第２可動係止アーム７０の挿入部７１ａが間にあるため幅方向内側へ撓むことができない（図６（ｂ））。したがって、雌コネクタ６０をさらに引き抜こうとすると、ムービングプレート８０はこの位置に留め置かれ、雌コネクタ６０だけが取り外しの向きに移動する。
【００４４】
雌コネクタ６０が完全に取り外されると、雄コネクタ２０とムービングプレート８０は、図４、図５に示す端子本係止状態に復帰する。したがって、雄コネクタ２０と雌コネクタ６０を次に嵌合する際にも、雄端子金具５６は、ムービングプレート８０により保持され、不意の曲げが防止される。
【００４５】
以上のコネクタ組立体１０は、端子本係止状態（図４，図５）において、ムービングプレート８０の第３可動係止アーム８５の係止体８７が、雄コネクタ２０の第１可動係止アーム４１の係合面４２に突き当たっている（図５（ｃ））。ここで、係止体８７が雄コネクタ２０の後方へ移動しようとしたときに係止体８７から第１可動係止アーム４１に加わる力の向きが、第１可動係止アーム４１の延設方向と一致している。したがって、係止体８７から力が加わっても、第１可動係止アーム４１は幅方向に撓みにくいので、ムービングプレート８０は第１可動係止アーム４１により強固に保持される。
特に、本実施形態は第１可動係止アーム４１と係止体８７の係合面が、雄コネクタ２０と雌コネクタ６０の嵌合の方向に対して直交しているので、係合面同士に滑りが生じないために、第１可動係止アーム４１は撓みにくい。なお、係合面の一方を傾斜面としてもよい。ただし、この場合には、第１可動係止アーム４１が幅方向外側に撓みにくい向きの傾斜面にすべきである。
【００４６】
コネクタ組立体１０は、第１可動係止アーム４１による強固な保持状態を解除するのに、雌コネクタ６０に設けた係止突起７７を利用する。この係止突起７７は、雌コネクタ６０を雄コネクタ２０に嵌合させる過程で第１可動係止アーム４１に直接接触して幅方向外側に向けて押圧する。これにより第１可動係止アーム４１は幅方向外側に押し広げられ、係止突起７７、これに引き続いて係止体８７が第１可動係止アーム４１を通過することができるようになる。
【００４７】
また、コネクタ組立体１０は、嵌合が完了した状態から雌コネクタ６０を取り外す際に、ムービングプレート８０は雄コネクタ２０内に留め置くことができるので、雄コネクタ２０と雌コネクタ６０を次に嵌合する際にも、雄端子金具５６の不意の曲げを防止できる。
【００４８】
コネクタ組立体１０は、本発明の好ましい形態であり、本発明の主旨を逸脱しない限り、以上で挙げた構成を取捨選択し、あるいは他の構成に適宜変更することが可能である。
例えば、コネクタ組立体１０は、ムービングプレート８０にリテーナ９０を一体的に設けたが、ムービングプレート８０とは別体のリテーナとすることができる。
【符号の説明】
【００４９】
１０…コネクタ組立体
２０…雄コネクタ
２１…雄ハウジング
２２…嵌合部、２７…嵌合キャビティ、３３…第２係止孔、３６…第３係止孔
４１…第１可動係止アーム、４５…端子収容部、５０…ハウジングランス、５６…雄端子金具
６０…雌コネクタ
６１…雌ハウジング、７０…第２可動係止アーム、７１…基部、７１ａ…挿入部、
７２…係止突起、７７…係止突起
８０…ムービングプレート
８１…端子保持部、８２…端子保持孔、
８５…第３可動係止アーム、８６…支持梁、８７…係止体
８８…第４可動係止アーム、８９…係止突起、９０…リテーナ
【図１】
2011086478.tif 000003
【図２】
2011086478.tif 000004
【図３】
2011086478.tif 000005
【図４】
2011086478.tif 000006
【図５】
2011086478.tif 000007
【図６】
2011086478.tif 000008
【図７】
2011086478.tif 000009
【図８】
2011086478.tif 000010
【図９】
2011086478.tif 000011
【図１０】
2011086478.tif 000012
【図１１】
2011086478.tif 000013